(57)【要約】【課題】気泡が血液回路中に混入した場合にそれを患者に送るのを防止することができ、かつ、低充填量の体外循環装置を提供する。【解決手段】体外循環装置１は、血液の体外循環や補助循環を行なう装置であり、血液体外循環回路２を有している。血液体外循環回路２は、血液を貯留するリザーバーと、血液に対しガス交換を行う人工肺４と、血液ポンプ５と、血液体外循環回路２中に混入した気泡を検出する気泡検出部６と、気泡を患者に送らないように送血流量を制御する送血制御部７と、脱血ライン１１と、送血ライン１２と、吸引ライン１３と、人工肺４、血液ポンプ５、気泡検出部６および送血制御部７等を接続する図示しない各ラインとを備えている。気泡検出部６、血液ポンプ５および送血制御部７と、これらを接続する各ラインとで再循環回路が構成される。【選択図】図１
2005211513.tif 000002
【特許請求の範囲】
【請求項１】
人工肺部および血液ポンプを有する血液回路を備える体外循環装置であって、
前記血液回路により血液を循環させている際、前記血液回路中に混入した気泡を検出する気泡検出手段と、気泡を患者に送らないように送血流量を制御する送血制御部を有す送血制御手段と、前記血液回路中の前記血液ポンプの上流側と下流側との間で血液の再循環を行うことが可能な再循環回路とを備えることを特徴とする体外循環装置。
【請求項２】
前記血液回路中に混入した気泡を貯留する気泡貯留部と、該気泡を除去する気泡除去部を有する気泡除去手段とを備える請求項１に記載の体外循環装置。
【請求項３】
前記気泡除去部は、前記血液回路中の前記血液ポンプより上流側に配置されている請求項２に記載の体外循環装置。
【請求項４】
前記気泡貯留部および前記気泡検出手段は、前記血液回路中の前記血液ポンプより上流側に配置されている請求項２に記載の体外循環装置。
【請求項５】
前記気泡除去手段は、外部からの吸引力を利用して前記気泡除去部から前記気泡を除去するよう構成されている請求項２ないし４のいずれかに記載の体外循環装置。
【請求項６】
前記気泡除去部は、該気泡除去部内を血液側と非血液側とに仕切る脱気膜を有する請求項２ないし５のいずれかに記載の体外循環装置。
【請求項７】
前記気泡除去手段は、常に前記気泡除去部に吸引力が加わるよう構成されている請求項５または６に記載の体外循環装置。
【請求項８】
前記気泡除去手段は、前記気泡検出手段により気泡が検出された場合にのみ前記気泡除去部に吸引力が加わるよう構成されている請求項５または６に記載の体外循環装置。
【請求項９】
前記気泡検出手段は、前記気泡貯留部内にフロートを有し、該フロートの血液に対する浮力の変化を利用して気泡を検出するよう構成されている請求項２ないし８のいずれかに記載の体外循環装置。
【請求項１０】
前記気泡検出手段は、前記気泡貯留部内に血液の液面高さを検出するフロートを有し、該フロートにより検出される液面高さの変化を利用して気泡を検出するよう構成されている請求項２ないし８のいずれかに記載の体外循環装置。
【請求項１１】
前記気泡検出手段は、前記気泡除去部内の非血液側の圧力の変化を利用して気泡を検出するよう構成されている請求項２ないし８のいずれかに記載の体外循環装置。
【請求項１２】
前記送血制御手段は、前記気泡貯留部内の前記フロートの位置を前記送血制御部に伝達することにより、送血流量の制御を行うよう構成されている請求項１０に記載の体外循環装置。
【請求項１３】
前記送血制御手段は、前記フロートの位置が基準位置以下に降下したときに、送血流量を制限し、かつ、前記再循環回路を開状態とし、血液の再循環を開始させるよう構成されている請求項１０または１２に記載の体外循環装置。
【請求項１４】
前記送血制御手段は、前記フロートの位置が基準位置以上に上昇したときに、前記送血流量の制限を解除し、かつ、前記再循環回路を閉状態とし、血液の再循環を停止させるよう構成されている請求項１３に記載の体外循環装置。
【請求項１５】
前記送血制御手段は、前記気泡除去部内の非血液側の圧力の変化を前記送血制御部に伝達することにより、送血流量の制御を行うよう構成されている請求項１１に記載の体外循環装置。
【請求項１６】
前記送血流量の制限は、前記送血を停止させることである請求項１３または１４に記載の体外循環装置。
【請求項１７】
人工肺部および血液ポンプを有する血液回路を備える体外循環装置であって、
前記血液回路中の前記血液ポンプの上流側と下流側との間で血液の再循環を行うことが可能な再循環回路を備えることを特徴とする体外循環装置。
【請求項１８】
前記再循環回路における前記血液の再循環の開始および／または停止が自動で行われるよう構成されている請求項１７に記載の体外循環装置。
【発明の詳細な説明】
【技術分野】
【０００１】
本発明は、体外循環装置に関するものである。
【背景技術】
【０００２】
心臓手術等に用いられる体外循環装置は、リザーバー（貯血槽）、人工肺、血液ポンプ、脱血ライン、送血ライン等を有する血液回路を備えている（例えば、特許文献１参照）。
【０００３】
体外循環、補助循環において（血液回路により血液を循環させている際）、血液回路中に気泡が混入（流入）した場合、少量の気泡（少量気泡）であれば、血液回路中に設けた動脈フィルターやバブルトラップにてその気泡を除去することができるが、大量の気泡（大量気泡）の場合は、除去が不完全となり、その気泡を患者へ送ってしまう可能性がある。
【０００４】
また、気泡を患者へ送らないまでも、血液回路中に気泡が多く含まれてしまい、血液回路から気泡を除去（再プライミング）する操作が必要となる。この間（約数分から１０数分）は、血液の循環を停止しなければならず、患者への悪影響が懸念される。
【０００５】
ところで、血液回路の気泡混入部位の１つとして、脱血カテーテルがある。この場合、症例や術式、カテーテル挿入方法によって気泡が混入する頻度と混入する気泡の量は異なるが、カテーテル外れ、カテーテルと回路のチューブ嵌合部の外れ等、極めて低い確率であるが、大量の気泡が血液回路中に混入する可能性がある。
【０００６】
特に、血液ポンプとして遠心ポンプを使用する場合においては、気泡は、ポンプ内部での撹拌により細かく砕かれる。血液中の気泡は、細かいほど破泡が難しく、再プライミングの際も血液ポンプ、人工肺内部に残り易い。
【０００７】
上述のことから、血液回路中に混入した気泡は、血液ポンプより上流側で確実に血液から分離することが望ましく、脱血された血液からの気泡の除去には、静脈リザーバーの脱血フィルターが利用されている。
【０００８】
一方、体外循環装置を使用する患者への負担低減を考慮し、血液と空気との接触を極力抑える閉鎖型回路、血液の希釈を極力おさえる低充填量回路が注目されているが、これを実現するには、大量気泡を分離するために大容量の静脈リザーバーが必要となり、患者の負担が増大してしまう。
【０００９】
また、体外循環装置で使用される動脈フィルターやバブルトラップでは、大量気泡に対応できないという問題があり、低充填量と安全の両立が不可能であった。
【００１０】
また、体外循環装置に使用されているローラーポンプシステムにおいては、超音波等を用いた気泡センサーを附属させ、技士や担当医師が、ハードシェル静脈リザーバーの表面（側面）の任意の位置にその気泡センサーを貼付し、気泡センサーが気泡を感知すると、ローラーポンプが止まり血液の循環を停止するものがある。このシステムでは、大容量の静脈リザーバーが必須であることや、静脈リザーバー内の液面が復帰しても血液の循環を再開するには、気泡センサーをリセットしなければならない等の欠点があった。
【００１１】
一般に静脈リザーバーや、ポンプに気泡をかみこんだ場合、患者へ気泡を送らないために、ローラーポンプ使用時においては、（１）血液ポンプの駆動を止める、その後患者からの脱血を止めるために、（２）脱血ラインをチューブ鉗子等で閉塞する、という２つの操作が同時に必要である。
【００１２】
一般に遠心ポンプ使用時においては、上記（１）と（２）に加えさらに、（３）送血ラインを操作者の手などによりチューブ鉗子等で閉塞する、という３つの操作が同時に必要である。
【００１３】
遠心ポンプは、ローラーポンプと違い、血液流路の閉塞がないため、ポンプの駆動を止めると、通常人工心肺より高い位置にいる患者に送血するための送血カテーテルから体外循環装置の回路に対し、血液の逆流が生じる。そこで遠心ポンプの駆動を止める時は血液の逆流が生じる前に即座に必ずポンプより下流側を操作者の手などによりチューブ鉗子等で完全に閉塞しなければならない。
【００１４】
しかしながら、これら２つないし３つの作業は不規則に突発する事故に対する一連の作業のなかのひとつであり、操作者による閉塞忘れ、あるいは閉塞不十分といったヒューマンエラーが起きる可能性があり、臨床現場においては冷静な判断と正確な作業が要求されている。
【００１５】
その後、操作者は回路チューブをたぐるなどして、回路中の気泡をリザーバーへ集め、その後患者への送脱血をとめたまま、回路中の気泡を除去するために再循環を行う。回路中の気泡を除去するための再循環時には例えば上流側から下流側に向けて、（１）リザーバー、ポンプ、人工肺、人工肺のパージライン、リザーバーからなる回路、（２）リザーバー、ポンプ、人工肺、動脈フィルターまたはバブルトラップ、動脈フィルターまたはバブルトラップのパージライン、リザーバーからなる回路、（３）リザーバー、ポンプ、人工肺、動脈フィルターまたはバブルトラップ、送血および／または脱血ラインを連絡し通常循環時閉塞されているリサーキュレーションライン、リザーバーからなる回路などがある。このときには再循環により気泡の除去が終了し、血液の循環を再開する際には、操作者の手により閉塞した鉗子の外し忘れというヒューマンエラーが起きる可能性もある。
【００１６】
脱血ラインの鉗子を外し忘れた場合、患者からの脱血がないままリザーバー内の血液を患者へ送血するため、ハードシェルリザーバーを血液回路が含む場合には、空気を患者へ再度送ることがある。また、ソフトリザーバーを血液回路が含む場合には、リザーバーとポンプの間が強い陰圧となり血液が損傷することがある。
【００１７】
また遠心ポンプ使用時に送血ラインの鉗子を外し忘れた場合はポンプと鉗子等で閉塞した部位の間の血液は流れがない状態でポンプでの高圧力に曝されるので、血液が過度な発熱や溶血などによる損傷を受けることがある。
【００１８】
また、下記の特許文献２〜６が知られている。
（１）特許文献２（米国特許第６３０２８６０号明細書）
静脈血ラインの血液ポンプの上流側に位置する吸引による陰圧空気フィルターが開示されている。
【００１９】
（２）特許文献３（米国特許出願公開第２００２／０１１０４８５号明細書）
ガス除去システムを有する血液酸素付加装置が開示されている。ガス除去システムはガスの存在を検出し、脱気するためのセンサーと連動している。
【００２０】
（３）特許文献４（米国特許出願公開第２００２／０１１４７３１号明細書）
ガスを除去するためのフィルター装置が開示されている。フィルター装置はガス除去フィルター、ガスの存在を検出するセンサーおよびガスを脱気するためのセンサーと連動したバルブからなる。
【００２１】
（４）特許文献５（特開平９−２０１４１２号公報）
ハウジングの上部に疎水膜が設置され、この疎水膜を介して血液中のガスを除去する血液フィルターが開示されている。
【００２２】
（５）特許文献６（米国特許第４５７２７２４号明細書）
中空糸状の気泡除去膜を介して流体中に含まれる気泡を除去する気泡除去装置が開示されている。この気泡除去装置は送液ポンプの上流側に位置する。
【００２３】
【特許文献１】特公平６−２２６１９号公報
【特許文献２】米国特許第６３０２８６０号明細書
【特許文献３】米国特許出願公開第２００２／０１１０４８５号明細書
【特許文献４】米国特許出願公開第２００２／０１１４７３１号明細書
【特許文献５】特開平９−２０１４１２号公報
【特許文献６】米国特許第４５７２７２４号明細書
【発明の開示】
【発明が解決しようとする課題】
【００２４】
本発明の目的は、気泡が血液回路中に混入した場合にそれを患者に送るのを防止することができ、かつ、低充填量の体外循環装置を提供することにある。
【課題を解決するための手段】
【００２５】
このような目的は、下記（１）〜（３８）の本発明により達成される。
（１）  人工肺部および血液ポンプを有する血液回路を備える体外循環装置であって、
前記血液回路により血液を循環させている際、前記血液回路中に混入した気泡を検出する気泡検出手段と、気泡を患者に送らないように送血流量を制御する送血制御部を有す送血制御手段と、前記血液回路中の前記血液ポンプの上流側と下流側との間で血液の再循環を行うことが可能な再循環回路とを備えることを特徴とする体外循環装置。
【００２６】
（２）  前記血液回路中に混入した気泡を貯留する気泡貯留部と、該気泡を除去する気泡除去部を有する気泡除去手段とを備える上記（１）に記載の体外循環装置。
【００２７】
（３）  前記気泡除去部は、前記血液回路中の前記血液ポンプより上流側に配置されている上記（２）に記載の体外循環装置。
【００２８】
（４）  前記気泡貯留部および前記気泡検出手段は、前記血液回路中の前記血液ポンプより上流側に配置されている上記（２）に記載の体外循環装置。
【００２９】
（５）  前記気泡除去手段は、外部からの吸引力を利用して前記気泡除去部から前記気泡を除去するよう構成されている上記（２）ないし（４）のいずれかに記載の体外循環装置。
【００３０】
（６）  前記外部からの吸引力として陰圧を利用している上記（５）に記載の体外循環装置。
【００３１】
（７）  前記気泡除去手段は、前記吸引力の発生源から伸びる吸引ラインを有し、該吸引ラインが前記気泡除去部に接続し得るよう構成されている上記（５）または（６）に記載の体外循環装置。
【００３２】
（８）  前記吸引ラインと前記気泡除去部の接続部における吸引圧は、前記血液回路中の血液ポンプの引き込み圧よりも低圧である上記（７）に記載の体外循環装置。
【００３３】
（９）  前記吸引ラインに、気体の逆流を阻止する逆流阻止手段が設けられている上記（７）または（８）に記載の体外循環装置。
【００３４】
（１０）  前記気泡除去手段は、常に前記気泡除去部に吸引力が加わるよう構成されている上記（５）または（６）に記載の体外循環装置。
【００３５】
（１１）  前記気泡除去手段は、前記気泡検出手段により気泡が検出された場合にのみ前記気泡除去部に吸引力が加わるよう構成されている上記（５）または（６）に記載の体外循環装置。
【００３６】
（１２）  前記気泡除去部は、該気泡除去部内を血液側と非血液側とに仕切る脱気膜を有する上記（２）ないし（１１）のいずれかに記載の体外循環装置。
【００３７】
（１３）  前記気泡除去部は、該気泡除去部内を血液側と非血液側とに仕切る脱気膜を有する上記（７）ないし（９）のいずれかに記載の体外循環装置。
【００３８】
（１４）  前記吸引ラインが前記気泡除去部の非血液側に接続し得るよう構成されている上記（１３）に記載の体外循環装置。
【００３９】
（１５）  前記脱気膜は、疎水性膜である上記（１２）ないし（１４）のいずれかに記載の体外循環装置。
【００４０】
（１６）  前記脱気膜の表面が疎水化処理されている上記（１２）ないし（１４）のいずれかに記載の体外循環装置。
【００４１】
（１７）  前記気泡検出手段は、浮力の変化を利用して気泡を検出するよう構成されている上記（２）ないし（１６）のいずれかに記載の体外循環装置。
【００４２】
（１８）  前記気泡検出手段は、前記気泡貯留部内にフロートを有し、該フロートの血液に対する浮力の変化を利用して気泡を検出するよう構成されている上記（２）ないし（１６）のいずれかに記載の体外循環装置。
【００４３】
（１９）  前記気泡検出手段は、液面高さの変化を利用して気泡を検出するよう構成されている上記（２）ないし（１６）のいずれかに記載の体外循環装置。
【００４４】
（２０）  前記気泡検出手段は、前記気泡貯留部内に血液の液面高さを検出するフロートを有し、該フロートにより検出される液面高さの変化を利用して気泡を検出するよう構成されている上記（２）ないし（１６）のいずれかに記載の体外循環装置。
【００４５】
（２１）  前記気泡検出手段は、圧力の変化を利用して気泡を検出するよう構成されている上記（２）ないし（１６）のいずれかに記載の体外循環装置。
【００４６】
（２２）  前記気泡検出手段は、前記気泡除去部内の非血液側の圧力の変化を利用して気泡を検出するよう構成されている上記（２）ないし（１６）のいずれかに記載の体外循環装置。
【００４７】
（２３）  前記送血制御手段は、送血流量および前記再循環回路の流量をそれぞれ制御するよう構成されている上記（１）ないし（２２）のいずれかに記載の体外循環装置。
【００４８】
（２４）  前記送血制御手段は、前記気泡貯留部内の前記フロートの浮力を前記送血制御部に伝達することにより、送血流量の制御を行うよう構成されている上記（１８）に記載の体外循環装置。
【００４９】
（２５）  前記送血制御手段は、前記フロートの浮力が基準値以下に減少したときに、送血流量を制限し、かつ、前記再循環回路を開状態とし、血液の再循環を開始させるよう構成されている上記（１８）または（２４）に記載の体外循環装置。
【００５０】
（２６）  前記送血制御手段は、前記フロートの浮力が基準値以上に増加したときに、前記送血流量の制限を解除し、かつ、前記再循環回路を閉状態とし、血液の再循環を停止させるよう構成されている上記（２５）に記載の体外循環装置。
【００５１】
（２７）  前記送血制御手段は、前記送血制御部内に制御弁を有し、前記送血流量の制御と、前記再循環回路の開閉とを、それぞれ前記制御弁で行うよう構成されている上記（２４）ないし（２６）のいずれかに記載の体外循環装置。
【００５２】
（２８）  前記フロートと前記制御弁とが連動するよう構成されている上記（２７）に記載の体外循環装置。
【００５３】
（２９）  前記フロートと前記制御弁とが連結されている上記（２７）または（２８）に記載の体外循環装置。
【００５４】
（３０）  前記送血制御手段は、前記気泡貯留部内の前記フロートの位置を前記送血制御部に伝達することにより、送血流量の制御を行うよう構成されている上記（２０）に記載の体外循環装置。
【００５５】
（３１）  前記送血制御手段は、前記フロートの位置が基準位置以下に降下したときに、送血流量を制限し、かつ、前記再循環回路を開状態とし、血液の再循環を開始させるよう構成されている上記（２０）または（３０）に記載の体外循環装置。
【００５６】
（３２）  前記送血制御手段は、前記フロートの位置が基準位置以上に上昇したときに、前記送血流量の制限を解除し、かつ、前記再循環回路を閉状態とし、血液の再循環を停止させるよう構成されている上記（３１）に記載の体外循環装置。
【００５７】
（３３）  前記送血制御手段は、前記気泡除去部内の非血液側の圧力の変化を前記送血制御部に伝達することにより、送血流量の制御を行うよう構成されている上記（２２）に記載の体外循環装置。
【００５８】
（３４）  前記送血制御手段は、前記気泡除去部内の非血液側の圧力が、その初期値から基準値以上変化したときに、送血流量を制限し、かつ、前記再循環回路を開状態とし、血液の再循環を開始させるよう構成されている上記（２２）または（３３）に記載の体外循環装置。
【００５９】
（３５）  前記送血制御手段は、前記気泡除去部内の非血液側室の圧力が、前記初期値に対する所定の割合以下に復元したときに、前記送血流量の制限を解除し、かつ、前記再循環回路を閉状態とし、血液の再循環を停止させるよう構成されている上記（３４）に記載の体外循環装置。
【００６０】
（３６）  前記送血流量の制限は、前記送血を停止させることである上記（２５）、（２６）、（３１）、（３２）、（３４）および（３５）のいずれかに記載の体外循環装置。
【００６１】
（３７）  人工肺部および血液ポンプを有する血液回路を備える体外循環装置であって、
前記血液回路中の前記血液ポンプの上流側と下流側との間で血液の再循環を行うことが可能な再循環回路を備えることを特徴とする体外循環装置。
【００６２】
（３８）  前記再循環回路における前記血液の再循環の開始および／または停止が自動で行われるよう構成されている上記（３７）に記載の体外循環装置。
【発明の効果】
【００６３】
本発明によれば、充填量を低くしつつ、気泡が血液回路中に混入した場合に、確実に、その気泡を患者に送るのを防止することができる。また、患者へ気泡を送るのを防止する際の送血停止とその解除（送血開始）に人手を必要とせず、自動的に行うことができる。
【発明を実施するための最良の形態】
【００６４】
以下、本発明の体外循環装置を添付図面に示す好適実施形態に基づいて詳細に説明する。
【００６５】
図１は、本発明の体外循環装置の第１実施形態を示す図、図２は、図１に示す体外循環装置の少量気泡混入時を示す図、図３は、図１に示す体外循環装置の大量気泡混入時を示す図である。
【００６６】
本発明において、体外循環装置における循環には、体外循環と補助循環とが包含される。体外循環とは、体外循環装置の適用対象となる患者の心臓に血液が循環せず患者体内でガス交換が行われず、そして体外循環装置により血液の循環と血液に対するガス交換（酸素付加および／または二酸化炭素除去）が行われることを意味する。補助循環とは、体外循環装置の適用対象となる患者の心臓に血液が循環し患者体内でガス交換が行われるが、体外循環装置によっても血液の循環と血液に対するガス交換が行われることを意味する。
【００６７】
これらの図に示す体外循環装置１は、血液の体外循環や補助循環を行なう装置であり、血液を循環させる血液体外循環回路（血液回路）２を有している。
【００６８】
血液体外循環回路２は、血液を貯留する図示しないリザーバー（貯血槽）と、血液に対しガス交換を行う人工肺（人工肺部）４と、液体を送液する血液ポンプ（遠心ポンプ）５と、血液体外循環回路２中に混入（流入）した気泡を検出する気泡検出部（気泡検出手段）６と、気泡を患者に送らないように送血流量を制御する（送血ライン１２を介して患者へ送血する血液の流量を制御）する送血制御部（送血制御手段）７と、脱血ライン１１と、送血ライン（動脈ライン）１２と、吸引ライン１３と、人工肺４、血液ポンプ５、気泡検出部６および送血制御部７等を接続する図示しない各ライン（チューブや管）とを備えている。
【００６９】
なお、吸引ライン１３としては特に限定されないが、吸引源と接続されて吸引力を発揮するものであればよい。ラインとは水や血液などの液体、ガスなどの気体といった流体が流れるための管路のことを意味する。ラインはその使用目的等に応じて、特に限定されないが軟質の管路であってよく、また硬質の管路であってよい。具体的にはラインはチューブや管であることができる。
【００７０】
吸引源としては、真空ポンプや壁吸引などが挙げられる。壁吸引は酸素、治療用空気、窒素、吸引などの医療ガス配管設備の一つであり、手術室の壁などに設置されている吸引のための配管のコネクタを吸引ライン１３に接続して使用することができる。吸引ライン１３は吸引源と接続されて吸引力を発揮し、その結果吸引圧を発生する。吸引圧により、吸引ライン１３の吸引源との接続先と反対側の接続先（気泡貯留部６）の圧力が低下し、空気を吸引することができる。
【００７１】
リザーバーは、脱血ライン１１の途中、すなわち、気泡検出部６の上流側に設けられている。なお、このリザーバーは、省略してもよい。
【００７２】
また、気泡検出部（気泡貯留部）（気泡除去部）６は、血液ポンプ５の上流側、送血制御部７は、血液ポンプ５の下流側に設けられている。気泡検出部６を血液ポンプ５の上流側に配置することにより、混入した気泡を血液ポンプ５で細かく砕いてしまうのを防止することができ、より確実に、血液から気泡を分離し、除去することができる。
【００７３】
この体外循環装置１では、患者から脱血される血液は、患者、図示しない脱血カテーテル、脱血ライン１１、気泡検出部６、血液ポンプ５、送血制御部７、人工肺４、送血ライン１２、図示しない送血カテーテルの順序で、循環する。
【００７４】
また、気泡検出部６、血液ポンプ５および送血制御部７と、これらを接続する各ライン（チューブや管）とで、血液体外循環回路２中の血液ポンプ５の上流側と下流側との間で血液の再循環（患者を介さず、血液体外循環回路２中のみでの循環）を行うことが可能な再循環回路が構成される。
【００７５】
上流とは、血液が循環する血液回路において、対象とする部位に血液や気泡などの流体が流れこむ側を意味する。下流とは、血液が循環する血液回路において、対象とする部位から血液や気泡などの流体が流れ出す側を意味する。
【００７６】
血液の再循環の際は、血液は、気泡検出部６、血液ポンプ５、送血制御部７の順序で、循環する。
【００７７】
この再循環により、再循環回路における血液循環を維持したまま、血液ポンプ５の駆動を止めることなく、患者への送血を制御することができる。また、操作者の手による制御を必要としないで再循環の制御を自動で行うことができる。この再循環回路は血液回路中の気泡を除去する目的ではなく、血液ポンプ５内での血液の損傷を抑えることを目的とする。
【００７８】
本願発明では、前述の構成をとることにより、血液ポンプ５に気泡は存在していない。すなわち、再循環時（再循環回路に血液が循環している時）および／または通常循環時（再循環回路に血液が循環していない時）には、血液ポンプ５に気泡が混入していない。
【００７９】
本発明における再循環回路は気泡検出部６、血液ポンプ５、送血制御部７を含み、リザーバー、人工肺４、動脈フィルター、パージラインを含まない。従って、再循環回路は気泡検出部６、血液ポンプ５、送血制御部７を含み、それらを血液が循環可能にライン（管）が連結している。再循環時には、脱血ライン１１から流入した血液が気泡検出部６、血液ポンプ５、送血制御部７を循環し、そして人工肺４に向かわず気泡検出部６に戻る。このように、再循環時の血液は、気泡検出部６、血液ポンプ５、送血制御部７の順で、これらを連結するラインを経由して再循環する（図３参照）。
【００８０】
「再循環の開始および／または停止（再循環回路の開および／または閉の切替）が自動で行われる」とは、気泡検出部６で検出された信号（フロートの位置が基準位置以上（より上）または以下（より下）であること等に基づく）が、操作者の手技を介さず送血制御部７に送られ、および／または送血制御部７で再循環回路の流量の制御（再循環回路の開および／または閉の切替）が操作者の手技を介さず行われることである。
【００８１】
体外循環装置１はリザーバーを備えていてもよいし、リザーバーを備えていなくてもよい。リザーバーを備えている場合、図示しないリザーバーとしては、例えば、ハードシェル（硬質ケース）タイプのもの等を用いることができる。リザーバーは、血液フィルターや、血液を濾過するカーディオトミーフィルター等を内蔵していてもよい。
【００８２】
人工肺４は、導入された血液に対し、酸素加および／または脱炭酸ガス（ガス交換）を行なうとともに、内蔵する熱交換器により加温または冷却を行なうよう構成されている。
【００８３】
気泡検出部６は、血液体外循環回路２中に混入した気泡を貯留（一時的捕捉）する気泡貯留部（気泡捕捉部）と、その気泡を除去する気泡除去手段の気泡除去部（気泡排出部）とを兼ねている（気泡検出部、気泡貯留部および気泡除去部が一体化されている）。
【００８４】
この気泡貯留部６は、血液および気泡を一時的に貯留するチャンバー６１と、チャンバー６１の後述する血液側室６２内に設けられ、血液の液面に応じて上下方向（鉛直方向）に移動するフロート（浮き）８１と、チャンバー６１内に設けられた脱気膜６４と、血液流入ポート６５と、血液流出ポート６６と、脱気膜６４を介して空気を抜くための脱気ポート６７と、再循環ポート６８とを有している。
【００８５】
チャンバー６１内は、脱気膜６４により、２つの空間、すなわち、図１中下側（鉛直方向下側）に位置する血液側室（血液側）６２と図１中上側（鉛直方向上側）に位置する非血液側室（非血液側室）６３とに仕切られている。脱気膜６４は、通常の使用状態では変形しないように補強されている。
【００８６】
この脱気膜６４は、空気（気体）を通過させ、血液（液体）を通過させないように構成されているのが好ましい。すなわち、脱気膜６４は、その表面が疎水化処理されているか、または、疎水性膜（疎水膜）であるのが好ましい。脱気膜６４は平板上の形状をした平膜が好ましい。
【００８７】
前記疎水性膜の構成材料としては、例えば、ポリテトラフルオロエチレン（ＰＴＦＥ）、テトラフルオロエチレンとヘキサフルオロプロピレンの共重合体（ＦＥＰ）、テトラフルオロエチレンとパーフルオロアルキルビニルエーテルの共重合体（ＰＦＡ）、ポリクロロトリフルオロエチレン（ＰＣＴＦＥ）、ポリフッ化ビニリデン（ＰＶＤＦ）、エチレンとテトラフルオロエチレンの共重合体（ＥＴＦＥ）、エチレンとクロロトリフルオロエチレンの共重合体（ＥＣＴＦＥ）等が挙げられる。
【００８８】
また、前記疎水化処理の方法は、特に限定されず、例えば、脱気膜６４の表面に、疎水性を有する構成材料をコーティングする方法等が挙げられる。
【００８９】
脱気膜６４の気泡貯留部６側（脱気膜６４に対して吸引ライン１３があるのと反対側の脱気膜６４の面）は、気泡混入時（および／または気泡除去時）以外常に血液が接触している。脱気膜６４に対して吸引ライン１３がある側の脱気膜６４の面には血液が接触していない。
【００９０】
血液流入ポート６５、血液流出ポート６６および再循環ポート６８は、それぞれ、チャンバー６１の血液側室６２側に設置され、脱気ポート６７は、チャンバー６１の非血液側室６３側に設置されている。この場合、再循環ポート６８は、血液側室６２の図１中下側（鉛直方向下側）に配置されている。
【００９１】
血液流入ポート６５には、脱血ライン１１を接続し得るようになっており、血液流出ポート６６は、チューブを介して血液ポンプ５の流入側に接続される。
【００９２】
また、脱気ポート６７には、一端側が吸引力の発生源（例えば、吸引ポンプ等）に接続された吸引ライン１３の他端側を接続し得るようになっている。この吸引ライン１３としては、例えば、レギュレータで調圧し、吸引力として陰圧を利用したオペ室内吸引ラインを用いることができる。これにより、吸引ライン１３を介して、非血液側室６３内の圧力は、陰圧となる。
【００９３】
この吸引ライン１３による吸引圧（吸引ライン１３と非血液側室６３の接続部における吸引圧）は、血液体外循環回路２中の血液ポンプ５の引き込み圧よりも低圧に設定される。
【００９４】
血液ポンプ５が駆動すると、血液ポンプ５の上流側の流体には血液ポンプ５に引き込まれる圧力が、血液ポンプ５の下流側の流体には血液ポンプ５により吐き出される圧力が加わる。引き込み圧とは、このときの血液ポンプ５上流側の流体に加わる絶対圧力のことであり、大気圧よりも大きくてもよいし、小さくても良い。「引き込み圧より低圧」とは、絶対圧力で比較して引き込み圧より小さい圧力のことであり、「引き込み圧より低圧」は大気圧より大きくてもよいし、小さくても良い。
【００９５】
陰圧とは大気圧よりも低い圧力を意味し、具体的には０〜−７６０ｍｍＨｇの範囲である。微陰圧とは陰圧において大気圧より低く、大気圧に近い圧力であることができ、具体的には０ｍｍＨｇ〜−１００ｍｍＨｇの範囲である。強陰圧とは微陰圧よりもさらに低い圧力であることができ、具体的には−１００〜−７６０ｍｍＨｇの範囲である。
【００９６】
「吸引ライン１３と気泡除去部６の接続部における吸引圧が血液ポンプ５の引き込み圧よりも低圧」とは、血液ポンプ５の引き込み圧と、吸引ライン１３と気泡除去部６の接続部における吸引圧をそれぞれ絶対圧力に換算して比較したときに、吸引ライン１３と気泡除去部６の接続部における吸引圧の方が小さい圧力条件の状態をいう。両者の圧力差は１〜７６０ｍｍＨｇの範囲である。したがって、引き込み圧が大気圧以上のとき、吸引圧は微陰圧であることができ、引き込み圧が微陰圧のとき、吸引圧は強陰圧であることができる。
【００９７】
チャンバー６１内に貯留（捕捉）された気泡は、吸引ライン１３を介して、そのチャンバー６１内から排出（除去）される。この吸引ライン１３およびチャンバー６１（非血液側室６３）により、外部からの吸引力を利用して気泡を除去する気泡除去手段の主要部が構成される。
【００９８】
また、吸引ライン１３の途中には、空気（気体）の吸引方向に対する逆流を阻止（防止）する逆流阻止手段として、例えば、逆止弁が設けられている。この逆止弁により、空気（気体）の吸引方向への流れが可能になり、その逆方向への流れが阻止される。
【００９９】
送血制御部（送血制御手段）７は、血液の流路を切り替える流路切替部を兼ねており（送血制御部および流路切替部が一体化されており）、送血流量および再循環回路の流量をそれぞれ制御する。この送血制御部７は、気泡検出部６の図１中下側（鉛直方向下側）に配置されている。
【０１００】
この送血制御部７は、チャンバー７１と、チャンバー７１内に設けられ、前記フロート８１と連動して上下方向（鉛直方向）に移動する切替弁（制御弁）８２と、チャンバー７１に設置された血液流入ポート７２、血液流出ポート７３および再循環ポート７４とを有している。再循環ポート７４は、チャンバー７１の図１中上側（鉛直方向上側）に配置されている。
【０１０１】
血液流入ポート７２は、チューブを介して血液ポンプ５の流出側に接続され、血液流出ポート７３は、チューブを介して人工肺４の流入側に接続される。
【０１０２】
また、再循環ポート７４は、管８４を介して、前記チャンバー６１の再循環ポート６８に接続されている。
【０１０３】
また、切替弁８２と前記フロート８１とは、管８４内を挿通する連結棒（連結部材）８３により連結されている。これにより、前記フロートの浮力は、連結棒８３を介して切替弁８２に伝達される。すなわち、切替弁８２とフロート８１とは、一体的に、上下方向（鉛直方向）に移動する。
【０１０４】
この切替弁８２の移動により、チャンバー７１の血液流出ポート７３および再循環ポート７４の開閉、すなわち、送血流量の制御（制限／制限の解除の切り替え）と、再循環回路の流量の制御（再循環回路の開／閉の切り替え）とを、それぞれ行う。
【０１０５】
図１に示すように、切替弁８２が図１中上側に位置しているときは、切替弁８２により、チャンバー７１の血液流出ポート７３が開放され（開き）、再循環ポート７４が閉止され（閉じ）ている。これにより、メイン送血回路（メイン送血ライン）は開状態となり、送血流量の制限は解除され、かつ、再循環回路（再循環ライン）は閉状態となっている。
【０１０６】
一方、図３に示すように、切替弁８２が図３中下側に位置しているときは、切替弁８２により、チャンバー７１の血液流出ポート７３が閉止され（閉じ）、再循環ポート７４が開放され（開き）ている。これにより、メイン送血回路（メイン送血ライン）は閉状態となり、送血流量はゼロに制限され（送血停止とされ）、かつ、再循環回路（再循環ライン）は開状態とされている。
【０１０７】
前記脱血ライン１１、送血ライン１２および吸引ライン１３や、切替弁８２、その他の各ラインを構成するチューブの構成材料としては、それぞれ、特に限定されず、例えば、ポリ塩化ビニル、ポリエチレン、ポリプロピレン、エチレン−プロピレン共重合体、エチレン−酢酸ビニル共重合体、架橋型エチレン−酢酸ビニル共重合体等のポリオレフィン、ポリエチレンテレフタレート等のポリエステル、ポリウレタン、ポリアミド等の各種樹脂、天然ゴム、ブチルゴム、イソプレンゴム、ブタジエンゴム、スチレン−ブタジエンゴム、シリコーンゴムのような各種ゴム材料、ポリウレタン系、ポリエステル系、ポリアミド系、オレフィン系、スチレン系等の各種熱可塑性エラストマー等が挙げられ、これらを単独であるいは任意に組み合わせて用いることができる。
【０１０８】
次に、体外循環装置１の作用（動作）について説明する。
この体外循環装置１では、気泡検出部６は、フロート８１の血液に対する浮力の変化を利用して気泡を検出する。フロート８１の浮力は、連結棒８３を介して送血制御部７の切替弁８２に伝達され、これにより、送血流量および再循環回路の流量の制御がそれぞれ行われる。
【０１０９】
この場合、フロート８１の浮力が予め設定されている基準値以下に減少したときは、送血流量が制限され、かつ、再循環回路が開き、血液の再循環が開始される。
【０１１０】
そして、フロート８１の浮力が基準値以上に増加したときは、送血流量の制限が解除され、かつ、再循環回路が閉塞され、血液の再循環が停止する。
【０１１１】
気泡検出部６の血液流入ポート６５と血液流出ポート６６の内径は、特に限定されないが、例えば１／４”（インチ、以下同じ）〜１／２”の範囲から選択することができ、好ましくは３／８”〜１／２”の範囲から選択することができる。気泡検出部６のチャンバーの血液側容量は、例えば１０ｍＬ〜５００ｍＬの範囲から選択することができ、好ましくは５０ｍＬ〜２００ｍＬである。気泡検出部６のフロート８１の容量は、特に限定されないが、例えば５ｃｍ３である。気泡検出部６はその血液流出ポート６６の上流側にスクリーンメッシュを備えていても良く、このスクリーンメッシュによりチャンバー６１内の気泡の流出を防ぐことができる（スクリーンメッシュにより気泡を引っ掛け、捕捉する）。また、気泡検出部６はスクリーンメッシュを備えていなくてもよい。
【０１１２】
送血制御部７の血液流入ポート７２と血液流出ポート７３の内径は、特に限定されないが、例えば１／４”〜１／２”の範囲から選択することができ、好ましくは３／８”〜１／２”の範囲から選択することができる。送血制御部７のチャンバー７１の血液側容量は、例えば５ｍＬ〜１００ｍＬの範囲から選択することができ、好ましくは１０ｍＬ〜５０ｍＬである。
【０１１３】
本発明によれば、血液回路中に混入した気泡を除去することができる。血液回路中に混入する気泡の大きさ（容量）は多くの要因、例えば脱血カテーテルのサイズ（内径、先端孔径、側孔）、本数、血管壁への張り付き具合、カテーテル孔の大気への開放具合、その時の血液流量、血液の性状（血液の粘度、温度、ヘマトクリット値など）、脱血側回路との接続部のリークの有無（ある時はその程度）、枝管からの気泡混入の可能性などによって決定される。
【０１１４】
気泡は大量気泡と少量気泡に分けることができる。大量気泡とは、血液回路への血液流量と同程度の流量で混入する気体の容量であることができる。大量気泡が混入する原因として、例えば脱血カテーテルが血管から完全に抜けてしまった時などに、その時の血液流量と同じ流量で気泡が流入し、その容量は脱血側回路が空になる程度の量である。この時の脱血側回路の長さには特に限定はない。
【０１１５】
具体的には、特に限定されないが大量気泡は、例えば、直径が約４０μｍ以上、容量が約５００ｃｃ以上、気泡貯留部の内部空間を占める容積の約５０％以上、血液回路中の循環血液の流量（流体速度）が約２００ｃｃ／ｍｉｎ以上のときの混入からなる群から選択される少なくとも一つにより表すことができる。このような気泡は気泡貯留部６の内部の空間に一時的に捕捉される。大量気泡は血液回路の気泡除去部６から除去することができる。
【０１１６】
少量気泡とは、微小な気泡と同程度の容量であることができる。少量気泡が混入する原因として、例えば脱血カテーテルが血管から少しずれてしまった時などに、そこから微小な気泡が流入し、その容量は、血液回路への血液流量と同程度の流量で混入する気体の容量ほど大きくはなく、脱血側回路が空になる程度の量より小さい。
【０１１７】
具体的には、特に限定されないが少量気泡は、例えば、直径が約４０μｍより小さい、容量が約５００ｃｃより小さい、気泡貯留部６の内部空間を占める容積の約５０％より小さい、血液回路中の循環血液の流量（流体速度）が約２００ｃｃ／ｍｉｎより小さい時の混入、からなる群から選択される少なくとも一つにより表すことができる。このような気泡は気泡貯留部６の内部の空間に一時的に捕捉される。少量気泡は血液回路の気泡除去部６から除去することができる。
【０１１８】
本発明によれば、少量気泡のような気泡は主に脱気膜６４から連続的に除去することができる。また、脱気膜６４の脱気速度より多い大量気泡のような気泡が流入したときは、気泡貯留部６の液面が下がりそれに連動して切替弁８２が患者への血液回路の血液の循環を停止し、同時に再循環を開始することにより、主に気泡の混入を防ぐことができる。
【０１１９】
患者への送血が止まっている間（再循環回路が働いている間）は脱血も止まり、患者側での血液の流出入がない。したがって、気泡除去部６には新たな気泡の流入はない。それまで溜まっていた気泡除去部６の気泡は、脱気膜６４から経時的に除去され（抜けていき）、気泡除去部６の液面が回復すると再び切替弁８２が動作して、再循環回路が停止して本発明における再循環回路を除いた血液回路での血液の循環が開始する。
【０１２０】
血液用ポートの直径は、特に限定されないが、例えば１／４”（１／４インチ）〜１／２“（１／２インチ）であり、好ましくは３／８”〜１／２”である。また、気泡除去部６のポートの直径としては、特に限定されないが、例えば３／１６”〜１／２“である。
【０１２１】
閉鎖型回路とは、体外循環中あるいは補助循環中に、気泡貯留部（気泡除去部）６の脱気膜６４を介した空気と血液との接触、人工肺４におけるガス交換膜を介した空気と血液との接触および非意図的に血液回路に流入した気泡と血液との接触以外に、空気と血液が接触しない体外循環回路である（空気と血液との界面が存在しない）。閉鎖型回路は、リザーバーを含まないか、またはリザーバーを含む回路であることができる。閉鎖型回路がリザーバーを含む場合、特に限定されないがリザーバーとして柔らかい材質のものが挙げられ、例えばソフトバッグをリザーバーとして含むことができる。リザーバーを含む回路においては、リザーバー内には血液のみを充填し、空気を含まない状態である。
【０１２２】
閉鎖型回路は気泡貯留部（気泡除去部）６の脱気膜６４を介した空気と血液との接触、人工肺４におけるガス交換膜を介した空気と血液との接触および非意図的に血液回路に流入した気泡と血液との接触以外に、空気と血液が接触しない（空気と血液との界面が存在しない）という範囲の意味において、液密である。
【０１２３】
また開放型回路とは、体外循環中あるいは補助循環中に、気泡貯留部（気泡除去部）６の脱気膜６４を介した空気と血液との接触、人工肺４におけるガス交換膜を介した空気と血液との接触および非意図的に血液回路に流入した気泡と血液との接触以外に、空気と血液が接触する場所が存在する体外循環回路である（空気と血液との界面が存在する）。開放型回路におけるリザーバーとしては、特に限定されないがハードシェルリザーバーが使用される。
【０１２４】
本発明の体外循環装置に含まれる血液回路は、閉鎖型回路であってもよいし、開放型回路であってもよい。
【０１２５】
以下、具体的に説明する。
[（１）循環準備]
まず、体外循環技士が体外循環装置１を箱から取り出し、血液体外循環回路２にプライミング液を注入する。
【０１２６】
このときは、送血制御部７では、図３に示すように、切替弁８２が図３中下側に位置し、再循環回路（再循環ライン）が開状態、メイン送血回路（メイン送血ライン）が閉状態となっている。
【０１２７】
再循環ラインがプライミング液で満たされ、さらにチャンバー６１内にプライミング液が充填されると、プライミング液の液面上昇に応じてフロート８１が上昇し、これとともに切替弁８２が上昇する。これにより、送血制御部７では、図１に示すように、切替弁８２が図１中上側に位置し、再循環回路が閉状態、メイン送血ラインが開状態となり、メイン送血ラインにプライミング液が充填される。
【０１２８】
[（２）通常循環時]
血液の体外循環が開始されると、チャンバー６１の血液側室６２内は、血液で満たされ続ける。図１に示すように、このときフロート８１は、血液側室６２の最上部で浮き続けるので、送血制御部７では、切替弁８２が図１中上側に位置し、再循環回路が閉状態、メイン送血ラインが開状態となる。
【０１２９】
[（３）少量気泡混入時]
図２に示すように、血液体外循環回路２中に、例えば脱血ライン等から、少量気泡が混入すると、チャンバー６１の血液側室６２内の脱気膜６４付近にその気泡が集まる。そして、その気泡は、脱気膜６４から吸引ライン１３を介して、排出され、除去される。この場合、脱気膜６４により、気泡のみ除去される。
【０１３０】
[（４）大量気泡混入時]
図３に示すように、血液体外循環回路２中に、脱気膜６４の脱気速度に対して量が多い大量気泡が混入すると、チャンバー６１の血液側室６２内の血液量が減少し、血液の液面が降下し、フロート８１も併せて降下する。
【０１３１】
さらに血液の液面が降下すると、フロート８１の、血液の液面より図３中上側に突き出る部分の体積が増大、すなわち、フロート８１の血液中に隠れている部分の体積が減少するので、浮力が小さくなり、フロート８１は血液中に沈む。
【０１３２】
したがって、血液の液面下降に応じてフロート８１が下降し、これとともに切替弁８２が下降する。これにより、送血制御部７では、切替弁８２が図３中下側に位置し、再循環回路が開状態、メイン送血ラインが閉状態となる。
【０１３３】
その結果、メイン送血ラインによる送血が停止され、再循環回路での血液の再循環が開始される。すなわち、血液は、遠心ポンプ５と、チャンバー７１と、チャンバー６１の血液側室６２とを含む再循環回路のみで循環される。このため、気泡を患者に送ってしまうのをより確実に防止することができる。このように操作者の手を介することなく（手動ではなく）、自動的に送血を停止できるので、手動による閉塞ミスや閉塞不全などのヒューマンエラーを防止することができる。また、再循環回路において血液循環が維持されるので、遠心ポンプ５内での血液の過度の温度上昇や損傷を防止（または抑制）することができる。
【０１３４】
[（５）脱血復帰]
再循環回路において血液の再循環が行われている間に、大量気泡の混入が収束し、脱血流量が復帰してくると、チャンバー６１の血液側室６２内の気泡は、脱気膜６４から吸引ライン１３を介して、徐々に排出され、除去されてゆく。血液が血液側室６２内に流入してくると、徐々に血液側室６２内が再充填される。そして、血液の液面の高さが上昇するに従い、フロート８１の浮力が増加し、その自重を上回ると、フロート８１が血液の液面まで上昇する。
【０１３５】
このようにしてフロート８１が上昇し、これとともに切替弁８２が上昇する。これにより、送血制御部７では、図１に示すように、切替弁８２が図１中上側に位置し、再循環回路が閉状態、メイン送血ラインが開状態となり、血液の体外循環が自動的に再開される（血液の体外循環を自動的に復帰させることができる）。
【０１３６】
以上説明したように、この体外循環装置１によれば、体外循環や補助循環の際（血液体外循環回路２により血液を循環させている際）、少量気泡はもちろんのこと、大量気泡が血液体外循環回路２中に混入した場合に、確実に、その気泡を患者に送るのを防止することができる。すなわち、確実に、大量気泡および少量気泡を捕捉し、除去（排出）することができる。
【０１３７】
また、大量気泡が血液体外循環回路２中に混入した場合には、メイン送血ラインによる送血を停止するので、気泡を患者に送ってしまうのをより確実に防止することができ、しかも、再循環回路での血液の再循環を行なうので、遠心ポンプ５内での血液の過度の温度上昇や損傷を防止（または抑制）することができる。
【０１３８】
このように操作者の手を介することなく（手動ではなく）、自動的に送血を停止できるので、手動による閉塞ミスや閉塞不全などのヒューマンエラーを防止することができる。
【０１３９】
また、大量気泡が除去されると、メイン送血ラインによる送血、すなわち、体外循環が自動的に再開されるので、操作が容易であり、誤操作をしてしまうこともなく、また、血液の体外循環を停止する時間を最小限にすることができる。
【０１４０】
また、この体外循環装置１は、コンパクトであり、充填量が低い。これにより、患者の負担を低減することができる。
【０１４１】
人工肺部としては、血液は血液流入ポートから気泡貯留部、気泡除去部、熱交換部、ガス交換部を経て血液流出口から排出される形態、および血液流入ポートから熱交換部、気泡貯留部、気泡除去部、ガス交換部を経て血液流出口から排出される形態が包含される。
【０１４２】
また、本発明では、気泡検出部６により気泡が検出された場合にのみチャンバー６１の非血液側室６３（気泡除去部）に吸引力が加わるよう構成されていてもよい。
【０１４３】
次に、本発明の体外循環装置の第２実施形態について説明する。
図４は、本発明の体外循環装置の第２実施形態を示す図（少量気泡混入時を示す図）、図５は、図４に示す体外循環装置の大量気泡混入時を示す図である。
【０１４４】
以下、第２実施形態の体外循環装置１について、前述した第１実施形態との相違点を中心に説明し、同様の事項については、その説明を省略する。
【０１４５】
これらの図に示すように、第２実施形態の体外循環装置１では、気泡検出部６は、血液および気泡を一時的に貯留するチャンバー６１と、チャンバー６１内に設けられた脱気膜６４と、血液流入ポート６５と、血液流出ポート６６と、脱気膜６４を介して空気を抜くための脱気ポート６７と、再循環ポート６８とを有している。
【０１４６】
また、脱気ポート６７またはその近傍には、チャンバー６１の非血液側室６３内の圧力を検出する圧力ライン９４の一端側が接続され、この圧力ライン９４の他端側は、空気圧弁９１のパイロット圧接続口に接続される。
【０１４７】
送液制御部７は、遠心ポンプ５からのライン（流路）を、メイン送血ライン側、すなわち人工肺４側へのラインと、再循環回路側、すなわちチャンバー６１側へのラインとに分岐する分岐部９２と、分岐部９２に設けられ、前記遠心ポンプ５からのラインをメイン送血ライン側と再循環回路側とのいずれか一方に切り替えるクランプ（空気圧駆動クランプ）９３とを有している。分岐部９２としては、例えば、可撓性を有するＹ字管等を用いることができる。
【０１４８】
この分岐部９２の一方のポートは、チャンバー６１の再循環ポート６８に接続され、他方のポートは、チューブを介して人工肺４の流入側に接続される。
【０１４９】
また、クランプ９３には、一端側が空気圧弁９１の出力側に接続された圧力ライン９５の他端側が接続される。
【０１５０】
この分岐部９２内の流路をクランプ９３で切り替えることにより、送血流量の制御（制限／制限の解除の切り替え）と、再循環回路の流量の制御（再循環回路の開／閉の切り替え）とを、それぞれ行う。クランプ９３動作は、クランプ９３にかかる空気圧のＯＮ／ＯＦＦで制御され、その空気圧のＯＮ／ＯＦＦは、空気圧弁９１で制御され、その空気圧弁９１は、パイロット圧であるチャンバー６１の非血液側室６３内の圧力で制御される。
【０１５１】
次に、体外循環装置１の作用（動作）について説明する。
この体外循環装置１では、気泡検出部６は、チャンバー（気泡除去部）６１の非血液側室６３内の圧力の変化を利用して大量気泡を検出する。非血液側室６３内の圧力の変化は、空気圧弁９１を介して送血制御部７のクランプ９３に伝達され、これにより、送血流量および再循環回路の流量の制御がそれぞれ行われる。
【０１５２】
この場合、非血液側室６３内の圧力が、その初期値から予め設定されている基準値以上変化したときは、送血流量が制限され、かつ、再循環回路が開き、血液の再循環が開始される。
【０１５３】
そして、非血液側室６３内の圧力が、初期値に対する予め設定されている所定の割合以下に復元したときは、送血流量の制限が解除され、かつ、再循環回路が閉塞され、血液の再循環が停止する。
【０１５４】
以下、血液の体外循環が開始され後の動作を具体的に説明する。
[（１）通常循環時]
血液の体外循環が開始されると、チャンバー６１の血液側室６２内は、血液で満たされ続ける。図４に示すように、血液側室６２内には一定の陰圧がかかっているので、空気圧弁９１へ供給されるパイロット圧は、一定のままである。このときは、送血制御部７の分岐部９２においてクランプ９３により、遠心ポンプ５からのラインがメイン送血ライン側に接続され、再循環回路が閉状態、メイン送血ラインが開状態となっている。
【０１５５】
[（２）少量気泡混入時]
血液体外循環回路２中に、例えば脱血ライン等から、少量気泡が混入すると、チャンバー６１の血液側室６２内の脱気膜６４付近にその気泡が集まる。そして、その気泡は、脱気膜６４から吸引ライン１３を介して、排出され、除去される。この場合、脱気膜６４により、気泡のみ除去される。
【０１５６】
[（３）大量気泡混入時]
図５に示すように、血液体外循環回路２中に、脱気膜６４の脱気速度に対して量が多い大量気泡が混入すると、チャンバー６１の血液側室６２内の血液量が減少し、空気（空気層）の容積（体積）が増大する。
【０１５７】
チャンバー６１の血液側室６２と非血液側室６３とは脱気膜６４を介して血液は通過しないが空気のみ連通しているので、非血液側室６３内で圧力が変化する。非血液側室６３内の圧力は、大量気泡が流入する前は、一定の陰圧であったが、大気圧の気泡が大量に流入したことで、その圧力は増加する（大気圧に近くなる）。
【０１５８】
この圧力較差が空気圧弁９１にパイロット圧として供給され、空気圧弁９１は、メイン送血ラインを閉じ、再循環回路を開くようにクランプ９３を作動させる。これにより、送血制御部７の分岐部９２においてクランプ９３により、遠心ポンプ５からのラインが再循環回路側に接続され、再循環回路が開状態、メイン送血ラインが閉状態となる。
【０１５９】
その結果、メイン送血ラインによる送血が停止され、再循環回路での血液の再循環が開始される。すなわち、血液は、遠心ポンプ５と、チャンバー７１と、チャンバー６１の血液側室６２とを含む再循環回路のみで循環される。このため、気泡を患者に送ってしまうのをより確実に防止することができる。また、再循環回路において血液循環が維持されるので、遠心ポンプ５内での血液の過度の温度上昇や損傷を防止（または抑制）することができる。
【０１６０】
[（４）脱血復帰]
再循環回路において血液の再循環が行われている間に、大量気泡の混入が収束し、脱血流量が復帰してくると、チャンバー６１の血液側室６２内の気泡は、脱気膜６４から吸引ライン１３を介して、徐々に排出され、除去されてゆき、かつ、血液が血液側室６２内に流入してくるので、徐々に血液側室６２内の空気（空気層）の容積（体積）が減少する。
【０１６１】
血液側室６２内の空気がなくなると、非血液側室６３内の圧力は、初期値である一定の陰圧に戻り、これによって、空気圧弁９１へ供給されるパイロット圧は、前記一定の陰圧に戻り（パイロット圧が抜け）、空気圧弁９１は、メイン送血ラインを開き、再循環回路を閉じるようにクランプ９３を作動させる。
【０１６２】
これにより、送血制御部７の分岐部９２においてクランプ９３により、遠心ポンプ５からのラインがメイン送血ライン側に接続され、再循環回路が閉状態、メイン送血ラインが開状態となり、血液の体外循環が自動的に再開される（血液の体外循環を自動的に復帰させることができる）。
【０１６３】
この体外循環装置１によれば、前述した第１実施形態の体外循環装置１と同様の効果が得られる。
【０１６４】
そして、この体外循環装置１では、チャンバー６１内が脱気膜６４により血液側室６２と非血液側室６３とに仕切られているので、例えば、所定のラインのチューブが潰れた場合でも、非血液側室６３内の圧力の変動は生じない。これにより、大量気泡の誤検出を防止することができる。
【０１６５】
次に、本発明の体外循環装置の第３実施形態について説明する。
図６は、本発明の体外循環装置の第３実施形態を示す図（少量気泡混入時を示す図）、図７は、図６に示す体外循環装置の大量気泡混入時を示す図である。
【０１６６】
以下、第３実施形態の体外循環装置１について、前述した第２実施形態との相違点を中心に説明し、同様の事項については、その説明を省略する。
【０１６７】
第３実施形態の体外循環装置１では、チャンバー（気泡貯留部）６１の血液側室６２内に、その血液側室６２内の血液の液面高さを検出するフロート８５が設けられており、そのフロート８５の位置（血液の液面高さ）を検出するスイッチ８６の出力信号（出力電圧）により、空気圧弁９１を制御する点が異なっていること以外は、前述した第２実施形態と同様である。
【０１６８】
これらの図に示すように、第３実施形態の体外循環装置１では、気泡検出部６は、血液および気泡を一時的に貯留するチャンバー６１と、チャンバー６１の血液側室６２内に設けられ、血液の液面に応じて上下方向（鉛直方向）に移動する板状のフロート（浮き）８５と、チャンバー６１の血液側室６２内の所定の位置に設けられたスイッチ（検出スイッチ）８６と、チャンバー６１内に設けられた脱気膜６４と、血液流入ポート６５と、血液流出ポート６６と、脱気膜６４を介して空気を抜くための脱気ポート６７と、再循環ポート６８とを有している。
【０１６９】
スイッチ８６としては、例えば、フロート８５により押圧されると、オンし、その押圧が解除されるとオフ状態に復帰する形態のスイッチ、タッチ式のスイッチ等を用いることができる。このスイッチ８６の出力側は、信号ライン９６を介して空気圧弁９１の入力側に接続される。
そして、空気圧弁９１は、スイッチ８６の出力信号（出力電圧）により、制御される。
【０１７０】
次に、体外循環装置１の作用（動作）について説明する。
この体外循環装置１では、気泡検出部６は、チャンバー（気泡貯留部）６１の血液側室６２内の血液の液面高さの変化を利用して大量気泡を検出する。血液側室６２内のフロート８５の位置（血液の液面高さ）は、スイッチ８６および空気圧弁９１を介して送血制御部７のクランプ９３に伝達され、これにより、送血流量および再循環回路の流量の制御がそれぞれ行われる。
【０１７１】
この場合、血液側室６２内のフロート８５の位置（血液の液面高さ）が、予め設定されている基準位置以下に降下したときは、送血流量が制限され、かつ、再循環回路が開き、血液の再循環が開始される。
【０１７２】
そして、血液側室６２内のフロート８５の位置（血液の液面高さ）が、基準位置以上に上昇したときは、送血流量の制限が解除され、かつ、再循環回路が閉塞され、血液の再循環が停止する。
【０１７３】
以下、血液の体外循環が開始され後の動作を具体的に説明する。
[（１）通常循環時]
血液の体外循環が開始されると、チャンバー６１の血液側室６２内は、血液で満たされ続ける。図６に示すように、このときフロート８５は、血液側室６２の最上部で浮き続けるので、スイッチ８６は、オフしており、このときは、送血制御部７の分岐部９２においてクランプ９３により、遠心ポンプ５からのラインがメイン送血ライン側に接続され、再循環回路が閉状態、メイン送血ラインが開状態となっている。
【０１７４】
[（２）少量気泡混入時]
血液体外循環回路２中に、例えば脱血ライン等から、少量気泡が混入すると、チャンバー６１の血液側室６２内の脱気膜６４付近にその気泡が集まる。そして、その気泡は、脱気膜６４から吸引ライン１３を介して、排出され、除去される。この場合、脱気膜６４により、気泡のみ除去される。
【０１７５】
[（３）大量気泡混入時]
図７に示すように、血液体外循環回路２中に、脱気膜６４の脱気速度に対して量が多い大量気泡が混入すると、チャンバー６１の血液側室６２内の血液量が減少し、血液の液面が降下し、フロート８５も併せて降下する。
【０１７６】
さらに血液の液面が降下すると、フロート８５に押圧されてスイッチ８６がオンし、スイッチ８６の出力信号のレベルがハイレベル（Ｈ）になる。このスイッチ８６の出力信号は、空気圧弁９１に入力され、空気圧弁９１は、メイン送血ラインを閉じ、再循環回路を開くようにクランプ９３を作動させる。
【０１７７】
これにより、送血制御部７の分岐部９２においてクランプ９３により、遠心ポンプ５からのラインが再循環回路側に接続され、再循環回路が開状態、メイン送血ラインが閉状態となる。
【０１７８】
その結果、メイン送血ラインによる送血が停止され、再循環回路での血液の再循環が開始される。すなわち、血液は、遠心ポンプ５と、チャンバー７１と、チャンバー６１の血液側室６２とを含む再循環回路のみで循環される。このため、気泡を患者に送ってしまうのをより確実に防止することができる。また、再循環回路において血液循環が維持されるので、遠心ポンプ５内での血液の過度の温度上昇や損傷を防止（または抑制）することができる。
【０１７９】
[（４）脱血復帰]
再循環回路において血液の再循環が行われている間に、大量気泡の混入が収束し、脱血流量が復帰してくると、チャンバー６１の血液側室６２内の気泡は、脱気膜６４から吸引ライン１３を介して、徐々に排出され、除去されてゆく。血液が血液側室６２内に流入してくると、徐々に血液側室６２内が再充填される。そして、血液の液面の高さが上昇するに従い、フロート８５も上昇する。
【０１８０】
これにより、フロート８５によるスイッチ８６の押圧が解除されてスイッチ８６がオフ状態となり、スイッチ８６の出力信号のレベルがローレベル（Ｌ）になる。このスイッチ８６の出力信号は、空気圧弁９１に入力され、空気圧弁９１は、メイン送血ラインを開き、再循環回路を閉じるようにクランプ９３を作動させる。
【０１８１】
これにより、送血制御部７の分岐部９２においてクランプ９３により、遠心ポンプ５からのラインがメイン送血ライン側に接続され、再循環回路が閉状態、メイン送血ラインが開状態となり、血液の体外循環が自動的に再開される（血液の体外循環を自動的に復帰させることができる）。
【０１８２】
この体外循環装置１によれば、前述した第２実施形態の体外循環装置１と同様の効果が得られる。
【０１８３】
本発明の形態の一つとして、リザーバーを含まない回路を挙げることができる。具体的には、脱血カテーテル、脱血ライン、気泡検出部、血液ポンプ、送血制御部、人工肺部、送血ラインおよび送血カテーテルを含み、リザーバーを含まない血液回路からなる体外循環回路である。これらのうち気泡検出部、血液ポンプ、送血制御部は再循環回路を構成する。患者から脱血された血液は、脱血ライン、気泡検出部、血液ポンプ、送血制御部、人工肺部、送血ライン、送血カテーテルの順で患者へ戻される。
【０１８４】
本発明の形態の一つとして、リザーバーを含む回路を挙げることができる。リザーバーとしては、特に限定されないが血液量調整用リザーバーが挙げられる。リザーバーは血液回路に並列しておよび／または直列に設置される。具体的には、脱血カテーテル、脱血ライン、気泡検出部、血液ポンプ、送血制御部、人工肺部、送血ライン、送血カテーテル、リザーバーを含む血液回路からなる体外循環回路である。これらのうち気泡検出部、血液ポンプ、送血制御部は再循環回路を構成する。患者から脱血された血液は、脱血ライン、気泡検出部、血液ポンプ、送血制御部、人工肺部、送血ライン、送血カテーテルの順で患者へ戻される。
【０１８５】
例えば、リザーバーが血液回路に並列して設置される場合は次の通りである。リザーバーの上流側のラインは、人工肺部が気泡除去部および／または気泡貯留部を兼ねていない場合、血液ポンプと送血制御部との間のいずれかの場所に設置される。リザーバーの下流側のラインは、脱血カテーテルと気泡検出部との間のいずれかの場所に設置される。
【０１８６】
より具体的には、血液回路のうち、血液ポンプと送血制御部の間、または人工肺部と送血ラインの間に二股の分岐管を設け、一方は患者へ戻る主要な管路、他方はリザーバーへの接続ラインとする。この接続ラインはリザーバーの血液流入口へ接続され、途中でライン閉塞用の弁か、操作者がチューブ鉗子等で閉塞できるような軟質部材で構成される。または、脱血カテーテルと気泡検出部の間に二股の分岐管を設け、一方は患者からの主要な管路、他方をリザーバーへの接続ラインとする。この接続ラインはリザーバーの血液流出口へ接続され、途中でライン閉塞用の弁か、操作者がチューブ鉗子等で閉塞できるような軟質部材で構成される。
【０１８７】
また、例えば、リザーバーが血液回路に直列して設置される場合は次の通りである。リザーバーの上流側のラインは、人工肺部が気泡除去部および／または気泡貯留部を兼ねていない場合、脱血ラインのいずれかの場所に設置される。人工肺部が気泡除去部および／または気泡貯留部を兼ねている場合、人工肺部と送血ラインとの間のいずれかの場所に設置される。リザーバーの下流側のラインは、脱血ラインのリザーバーの上流側のラインより下流側のいずれかの場所に設置される。
【０１８８】
この体外循環回路の操作者はリザーバー入口と出口に各々接続された接続ラインを任意に開閉することにより循環中の血液量を調整することができる。すなわち循環血液量を少なくしたい時はリザーバー出口側を閉塞した状態のままリザーバー入口側を開けると患者へ戻る血液の一部をリザーバーに貯留させることにより、循環血液量を少なくすることができる。
【０１８９】
逆に血液量を増やしたいときはリザーバーの入口を閉塞し、出口のみを開ければ患者からの脱血と共にリザーバー内血液が患者へ送血されるため、循環する血液量を増やすことができる。
【０１９０】
本発明の形態の一つとして、再循環回路を備えた、人工肺部および血液ポンプを有する血液回路を備える体外循環装置を挙げることができる。具体的には、人工肺部および血液ポンプを有する血液回路を備える体外循環装置であって、前記血液回路中の前記血液ポンプの上流側と下流側との間で血液の再循環を行うことが可能な再循環回路を備えることを特徴とする体外循環装置である。本願明細書に記載したとおり、血液回路への気泡の混入を防止することができるため、有用である。
【０１９１】
この再循環により、再循環回路における血液循環を維持したまま、血液ポンプの駆動を止めることなく、患者への送血を制御することができる。また、操作者の手による制御を必要としないで再循環の制御を自動で行うことができる。この再循環回路は血液回路中の気泡を除去する目的ではなく、血液ポンプ内での血液の損傷を抑えることを目的とする。
【０１９２】
図８および図９は、それぞれ、本発明の体外循環装置の他の実施形態における主要部を示す図、図１０は、図８に示す体外循環装置の動作を説明するための断面図である。
【０１９３】
この場合、図８（ａ）に断面図、図８（ｂ）に平面図、図８（ｃ）に図８（ａ）中のＡ−Ａ線での断面図を示す。また、図９（ａ）に断面図、図９（ｂ）に平面図、図９（ｃ）に図９（ａ）中のＢ−Ｂ線での断面図を示す。また、図１０（ａ）に、メイン送血ラインが開状態で、再循環回路が閉状態、図１０（ｂ）に、メイン送血ラインが閉状態で、再循環回路が開状態を示す。
【０１９４】
本発明の形態の一つとして、気泡貯留部にフィルターを有する体外循環装置が挙げられる。フィルターの設置部位（設置位置）は、特に限定されないが、具体的には図８および図９に示すように、血液流入ポート６５と気泡貯留部６の間および／または気泡貯留部６と血液流出ポート６６の間にフィルター１４、１５を設けることができる。なお、図８および図９に示す体外循環装置１は、血液流入ポート６５と気泡貯留部６の間および気泡貯留部６と血液流出ポート６６の間に、それぞれ、フィルター１４および１５を有している。
【０１９５】
フィルター１４、１５としては、血液（液体）を通過（透過）させ、気泡（気体）を通過させないものを用いる。
【０１９６】
フィルター１４、１５の構成材料としては、特に限定されないが、例えば、ポリエステル、ポリプロピレン、ポリエチレン、ナイロン、セルロース、ポリスルホン、ポリアクリロニトリル、ポリテトラフルオロエチレン、セルロースアセテート、ポリウレタン等の高分子材料や、ステンレス鋼、アルミニウム等の金属材料等が挙げられ、これらを単独または２つ以上のものを任意に組み合わせて用いることができる。また、フィルター１４、１５の形態（形状）としては、例えば、メッシュ、ネット、発泡体、不織布等が挙げられ、これらを単独または２つ以上のものを任意に組み合わせて用いることができる。
【０１９７】
図８および図９に示すように、血液流入ポート６５と気泡貯留部６の間のフィルター１４は、主に血液流入ポート６５から流入してきた気泡を脱気膜６４周辺に集めるためのものである。脱気膜６４周辺に集められた気泡は、脱気膜６４から脱気される。このフィルター１４により、気泡が気泡貯留部６全体に広がるのを防止することができる。
【０１９８】
図８および図９に示すように、フィルター１４は、血液流入ポート６５と気泡貯留部６を仕切るように設置される。その際、図８に示すように、フィルター１４の一部（図示例では、脱気膜６４の近傍）に開口部１４１を設けて気泡が脱気膜６４周辺に集まりやすいようにすることができる。フィルター１４に開口部１４１を設けることにより、気泡がフィルター１４の血液流入ポート６５側で停滞せず、その気泡を速やかに脱気膜６４周辺に流れ込ませることができる。
【０１９９】
また、図９に示すように、フィルター１４に開口部が存在しなくてもよい。このフィルター１４は、開口部が存在せず、フィルター１４を境に、血液流入ポート６５と気泡貯留部６を完全に仕切る形状であるが、フィルター１４の血液流入ポート６５側の最上部が脱気膜６４と接触する構造を有する。したがって、気泡は、フィルター１４の血液流入ポート６５側から脱気膜６４を介して脱気されるので停滞することがない。
【０２００】
図８および図９に示すように、気泡貯留部６と血液流出ポート６５の間のフィルター１５は、気泡が気泡貯留部６から流出しないように気泡を捕捉するためのものである。捕捉された気泡は、後に脱気膜６４周辺に集まり、脱気膜６４を介して脱気される。
【０２０１】
前記図８に示す体外循環装置１は、前述した第１実施形態と同様に、図１０（ａ）に示すように、フロート８１が血液側室６２の上方に位置し、切替弁８２が上側に位置しているとき、再循環回路が閉状態、メイン送血ラインが開状態となる。また、図１０（ｂ）に示すように、フロート８１が血液側室６２の下方に位置し、切替弁８２が下側に位置しているとき、再循環回路が開状態、メイン送血ラインが閉状態となる。前記図９に示す体外循環装置１の場合も同様である。
【０２０２】
なお、図８および図９に示す体外循環装置１は、血液流入ポート６５と気泡貯留部６の間および気泡貯留部６と血液流出ポート６６の間に、それぞれ、フィルター１４および１５を有しているが、これに限らず、いずれか一方、すなわち、血液流入ポート６５と気泡貯留部６の間のみにフィルター１４を有していてもよく（フィルター１５が省略されていてもよく）、また、気泡貯留部６と血液流出ポート６６の間のみにフィルター１５を有していてもよい（フィルター１４が省略されていてもよい）。
【０２０３】
本発明における再循環回路は気泡検出部、血液ポンプ、送血制御部を含み、リザーバー、人工肺部、動脈フィルター、パージラインを含まない。
【０２０４】
「再循環回路の開始および／または停止（再循環回路の開および／または閉の切替）が自動で行われる」とは、気泡検出部で検出された信号が、操作者の手技を介さず送血制御部に送られ、および／または送血制御部で再循環回路の流量の制御（再循環回路の開および／または閉の切替）が操作者の手技を介さず行われることである。
【０２０５】
特許文献２（米国特許第６３０２８６０号明細書）に記載の陰圧空気フィルターは、気泡を吸引力で脱気する点で本発明と共通するが、吸引ラインが脱気膜を介して接続されている点、吸引ラインが血液とは直接触れない点で異なる。特許文献２に記載の陰圧空気フィルターはセンサーが気泡を検出しているときに吸引力がかかるのに対し、本発明では吸引力を維持する点が異なる。このことにより、本発明では突発的な気泡の流入に対応が可能である。また、センサーを使用しないため、センサーが気泡を検知してから、吸引力が発生するまでの間のタイムラグに混入した気泡が血液回路を素通りすることを防止できる。
【０２０６】
特許文献２に記載の陰圧空気フィルターは循環する血液と吸引力が加えられるパージラインが直接接触するため、吸引力を維持し続けると循環する血液がパージラインへ流出してしまうため、吸引力を発生させるか、止めるかするためのスイッチか、またはパージラインの途中にそのための弁が必要であるのに対し、本発明では脱気膜を使用するため、循環する血液が吸引ラインへ流出することがない。パージラインとは、気泡を除去するために使用されるラインのことである。
【０２０７】
特許文献２に記載の陰圧空気フィルターはパージラインで脱気できる能力以上の大量気泡流入に対処できないのに対し、本発明では吸引ラインで脱気できる容量以上の気泡（大量気泡など）の流入を防止することができ、その結果患者への送血を停止することができる。送血を停止している間に混入した気泡を除去し、再び再循環回路を除く血液回路で血液を循環することが可能である。同時に、送血停止時（再循環時）にはポンプを経由した血液の循環が行われるため、ポンプ内での過度な発熱、血液損傷を抑えることができる。
【０２０８】
特許文献３（米国特許出願公開第２００２／０１１０４８５号明細書）および特許文献４（米国特許出願公開第２００２／０１１４７３１号明細書）に記載の装置は気泡を吸引力で脱気する点で本発明と共通するが、吸引ラインが脱気膜を介して接続されている点、吸引ラインが血液とは直接触れない点で異なる。特許文献３および４に記載の装置はセンサーが気泡を検出しているときに吸引力がかかるのに対し、本発明では吸引力を維持する点が異なる。このことにより、本発明では突発的な気泡の流入に対応が可能である。また、センサーを使用しないため、センサーが気泡を検知してから、吸引力が発生するまでの間のタイムラグに混入した気泡が血液回路を素通りすることを防止できる。
【０２０９】
特許文献３および４に記載の装置は吸引ラインの途中に弁を設け気泡感知センサーと連動して開閉するため血液の流出を防止するのに対し、本発明では脱気膜を介しているので、血液が吸引ラインへ流出することはない。特許文献３および４に記載の装置は吸引ラインで脱気できる能力以上の大量気泡流入に対処できないのに対し、本発明では吸引ラインで脱気できる容量以上の気泡（大量気泡など）の流入を防止することができ、その結果患者への送血を停止することができる。送血を停止している間に混入した気泡を除去し、再び再循環回路を除く血液回路で血液を循環することが可能である。同時に、送血停止時（再循環時）にはポンプを経由した血液の循環が行われるため、ポンプ内での過度な発熱、血液損傷を抑えることができる。
【０２１０】
以上、本発明の体外循環装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０２１１】
また、本発明は、前記各実施形態のうちの、任意の２以上の構成（特徴）を組み合わせたものであってもよい。
【図面の簡単な説明】
【０２１２】
【図１】本発明の体外循環装置の第１実施形態を示す図である。
【図２】図１に示す体外循環装置の少量気泡混入時を示す図である。
【図３】図１に示す体外循環装置の大量気泡混入時を示す図である。
【図４】本発明の体外循環装置の第２実施形態を示す図である。
【図５】図４に示す体外循環装置の大量気泡混入時を示す図である。
【図６】本発明の体外循環装置の第３実施形態を示す図である。
【図７】図６に示す体外循環装置の大量気泡混入時を示す図である。
【図８】本発明の体外循環装置の他の実施形態における主要部を示す図である。
【図９】本発明の体外循環装置の他の実施形態における主要部を示す図である。
【図１０】図８に示す体外循環装置の動作を説明するための断面図である。
【符号の説明】
【０２１３】
１              体外循環装置
２              血液体外循環回路
４              人工肺
５              血液ポンプ
６              気泡貯留部
６１            チャンバー
６２            血液側室
６３            非血液側室
６４            脱気膜
６５            血液流入ポート
６６            血液流出ポート
６７            脱気ポート
６８            再循環ポート
７              送血制御部
７１            チャンバー
７２            血液流入ポート
７３            血液流出ポート
７４            再循環ポート
８１、８５      フロート
８２            切替弁
８３            連結棒
８４            管
８６            スイッチ
９１            空気圧弁
９２            分岐部
９３            クランプ
９４、９５      圧力ライン
９６            信号ライン
１１            脱血ライン
１２            送血ライン
１３            吸引ライン
１４、１５      フィルター
１４１          開口部
【図１】
2005211513.tif 000003
【図２】
2005211513.tif 000004
【図３】
2005211513.tif 000005
【図４】
2005211513.tif 000006
【図５】
2005211513.tif 000007
【図６】
2005211513.tif 000008
【図７】
2005211513.tif 000009
【図８】
2005211513.tif 000010
【図９】
2005211513.tif 000011
【図１０】
2005211513.tif 000012